(57)【要約】【課題】  飛灰等に含まれる重金属を無害化するために飛灰に添加される液体キレート剤の適正添加量を簡単且つ正確に決定することができる。【解決手段】  所定量の重金属含有灰サンプルと過剰量の液体キレート剤とを攪拌、混合してスラリーを調製するスラリー調製手段７と、計量枡８を用いて計り取った一定量の液体キレート剤をスラリー調製手段７に供給する液体キレート剤定量供給手段１と、スラリー調製手段７により調製されたスラリーの上澄み液をフィルター１２を経由して希釈容器２８に供給する上澄み液供給手段１１と、吸光光度計１９にて測定可能な濃度への希釈および測定溶液供給手段２７と、吸光光度計１９により測定されたキレート成分について特異的な波長における上澄み液の吸光度に基づいて、重金属含有灰への液体キレート剤の適正添加量を決定し、表示する液体キレート剤添加量決定手段２０とを備えている。【選択図】      図１
2004258022.tif 000002
【特許請求の範囲】
【請求項１】
灰中の重金属を安定化するために前記重金属含有灰に添加する液体キレート剤の適正添加量を、所定量の重金属含有灰サンプルと過剰量の液体キレート剤とを攪拌、混合して、前記重金属と前記液体キレート剤中のキレート成分とを反応させた後、残留するキレート成分量を吸光光度計を用いて測定することによって決定する装置であって、
前記所定量の重金属含有灰サンプルと前記過剰量の液体キレート剤とを攪拌、混合してスラリーを調製するスラリー調製手段と、計量枡を用いて計り取った一定量の前記液体キレート剤を前記スラリー調製手段に供給する液体キレート剤定量供給手段と、前記スラリー調製手段により調製されたスラリーの上澄み液をフィルターを経由して前記吸光光度計に供給する上澄み液供給手段と、前記吸光光度計により測定された前記キレート成分について特異的な波長における前記上澄み液の吸光度に基づいて、前記重金属含有灰への液体キレート剤の適正添加量を決定し、表示する液体キレート剤添加量決定手段とを備えていることを特徴とする、液体キレート剤の適正添加量決定装置。
【請求項２】
前記吸光光度計および前記上澄み液供給手段の洗浄手段を備えていることを特徴とする、請求項１記載の、液体キレート剤の適正添加量決定装置。
【請求項３】
前記重金属含有灰サンプルを前記スラリー調製手段に供給した後、前記液体キレート剤定量供給手段、前記スラリー調製手段、前記上澄み液供給手段、前記吸光光度計および前記液体キレート剤添加量決定手段を順次、自動的に作動させる制御手段を備えていることを特徴とする、請求項１または２記載の、液体キレート剤の適正添加量決定装置。
【請求項４】
灰中の重金属を安定化するために前記重金属含有灰に添加する液体キレート剤の適正添加量を、所定量の重金属含有灰サンプルと過剰量の液体キレート剤とを攪拌、混合して、前記重金属と前記液体キレート剤中のキレート成分とを反応させた後、残留するキレート成分量を吸光光度計を用いて測定することによって決定する装置であって、
前記所定量の重金属含有灰サンプルと前記過剰量の液体キレート剤とを攪拌、混合してスラリーを調製するスラリー調製手段と、計量枡を用いて計り取った一定量の前記液体キレート剤を前記スラリー調製手段に供給する液体キレート剤定量供給手段と、前記スラリー調製手段により調製されたスラリーの上澄み液をフィルターを経由して希釈容器に供給する上澄み液供給手段と、前記吸光光度計にて測定可能な濃度への希釈および測定溶液供給手段と、前記吸光光度計により測定された前記キレート成分について特異的な波長における前記上澄み液の吸光度に基づいて、前記重金属含有灰への液体キレート剤の適正添加量を決定し、表示する液体キレート剤添加量決定手段とを備えていることを特徴とする、液体キレート剤の適正添加量決定装置。
【請求項５】
前記吸光光度計、前記上澄み液供給手段および前記吸光光度計にて測定可能な適正濃度への希釈および測定溶液供給手段の洗浄手段を備えていることを特徴とする、請求項４記載の、液体キレート剤の適正添加量決定装置。
【請求項６】
前記重金属含有灰サンプルを前記スラリー調製手段に供給した後、前記液体キレート剤定量供給手段、前記スラリー調製手段、前記上澄み液供給手段、前記測定可能な適正濃度への希釈および測定溶液供給手段、前記吸光光度計および前記液体キレート剤添加量決定手段を順次、自動的に作動させる制御手段を備えていることを特徴とする、請求項４または５記載の、液体キレート剤の適正添加量決定装置。
【請求項７】
前記液体キレート剤添加量決定手段は、前記キレート成分について特異的な波長における前記上澄み液の希釈液の吸光度（ＩＢ）と前記波長と同一波長における前記液体キレート剤の吸光度（ＩＡ）とから、前記重金属含有灰への前記液体キレート剤の適正添加量を決定する手段であることを特徴とする、請求項１から６の内の何れか１つに記載の、液体キレート剤の適正添加量決定装置。
【請求項８】
前記液体キレート剤添加量決定手段は、前記キレート成分について特異的な波長における前記上澄み液の希釈液の吸光度（ＩＢ）と、予め入力された前記液体キレート剤の吸光度（ＩＡ）、あるいは、予め入力された前記液体キレート剤中のキレート成分の全量（Ａ）とから、前記重金属含有灰への前記液体キレート剤の適正添加量を決定する手段であることを特徴とする、請求項１から６の内の何れか１つに記載の、液体キレート剤の適正添加量決定装置。
【発明の詳細な説明】
【技術分野】
【０００１】
この発明は、液体キレート剤の適正添加量決定装置、特に、飛灰等の灰中に含まれる重金属を無害化するために、重金属含有灰に添加される液体キレート剤の適正添加量を簡単且つ正確に決定することができる、液体キレート剤の適正添加量決定装置に関するものである。
【背景技術】
【０００２】
例えば、ごみ焼却施設の集塵設備で捕捉された飛灰の処理は、廃棄物処理法により特別管理一般廃棄物に指定されていて、中間処理後、埋め立て等により処理することが義務付けられている。中間処理の目的は、飛灰の安定化、無害化、飛散防止である。中間処理の中で特に薬剤処理は、比較的安価に処理することができ、設備の運転および保守点検が容易であるといった利点を有している。
【０００３】
薬剤処理に用いられる薬剤は、有機系液体キレート剤であり、これを飛灰に入れて混合して、鉛、水銀、カドミウム、６価クロム等の有害重金属を固定して無害化する。
【０００４】
この場合、飛灰に添加する液体キレート剤の量は、飛灰中の重金属と反応する量よりも過剰にする必要があるが、過剰すぎる添加は不経済である。従って、廃棄物への液体キレート剤の適正添加量を求めることは極めて重要である。
【０００５】
そこで、特開平１０−３３７５５０号公報（特許文献１）には、液体キレート剤の適正添加量決定方法が開示されている。以下、この方法を従来技術といい、以下に説明する。
【０００６】
従来技術は、次の工程からなっている。
【０００７】
（１）重金属を含む灰から定量の灰をサンプルとして採取する工程。
【０００８】
（２）前記重金属含有灰サンプルに対して、液体キレート剤を添加して前記重金属含有サンプル中の重金属と前記液体キレート剤とを容器内で攪拌、混合し、スラリー化して反応させる工程。
【０００９】
（３）前記液体キレート剤を添加した前記重金属含有灰サンプルの上澄み液またはろ液を吸光光度計の吸光度セルに入れて、前記液体キレート剤のキレート成分について特異的な波長における吸光度（ＩＢ）を求め、吸光度（ＩＢ）から前記重金属含有灰サンプル中の未反応の液体キレート剤中のキレート成分量（Ｂ）を求める工程。
【００１０】
（４）空試験により前記添加した液体キレート剤中のキレート成分の全量に相当する前記波長における吸光度（ＩＡ）を求め、吸光度（ＩＡ）から前記添加した液体キレート剤中のキレート成分の全量（Ａ）を求める工程。
【００１１】
（５）前記添加した液体キレート剤中のキレート成分全量（Ａ）と前記未反応の液体キレート剤中のキレート成分量（Ｂ）との差から前記重金属と反応した液体キレート剤中のキレート成分量（Ｃ）を求める工程。
【００１２】
（６）前記反応した液体キレート剤中のキレート成分量（Ｃ）と前記サンプルの所定量との比に基づいて、前記重金属含有灰を処理するに適正な前記液体キレート剤の添加量を決定する工程。
【００１３】
【特許文献１】特開平１０−３３７５５０号公報
【発明の開示】
【発明が解決しようとする課題】
【００１４】
上記従来技術によれば、実際の混練処理を反映した操作により液体キレート剤の添加量を決定するので、高い信頼性が得られ、しかも、吸光光度法を用いるので、容易に液体キレート剤の適正量を決定することができるといった有用な効果がもたらされる。
【００１５】
しかしながら、上記従来技術により液体キレート剤の適正量を正確に決定するには、下記事項が重要となる。
【００１６】
（１）上記（２）工程において、液体キレート剤の量を厳密に計量して、重金属含有灰サンプルと混合して攪拌する必要がある。
【００１７】
（２）液体キレート剤の適正添加量を決定した後は、次の適正添加量の決定に備えて、上澄み液またはろ液の通路、必要に応じて設けられる希釈容器および吸光光度計の吸光度セルに上澄み液またはろ液が残存しないように、これらを洗浄する必要がある。
【００１８】
（３）液体キレート剤の適正添加量を短時間に決定するには、上記一連の工程の内（１）の重金属を含む灰から定量の灰を採取する採取工程と、（２）の混合、攪拌工程の中で定量の重金属含有灰サンプルを容器内に入れることを除き、全て自動化する必要がある。
【００１９】
しかしながら、上記特許文献１には、上記各事項を実施することができる装置の具体的開示はない。
【００２０】
従って、この発明の目的は、上記従来技術を実施する際に、液体キレート剤の量を厳密に計量して重金属含有灰サンプルと攪拌、混合して、スラリー化することができ、上澄み液通路、必要に応じて設けられる適正濃度への希釈および測定溶液供給手段および吸光光度計の吸光度セルを、次の適正添加量決定に備えて洗浄することができ、しかも、定量の重金属含有灰サンプルを混合容器に入れるのみで、液体キレート剤の適正添加量を自動的に決定することができる、液体キレート剤の適正添加量決定装置を提供することにある。
【課題を解決するための手段】
【００２１】
請求項１記載の発明は、灰中の重金属を安定化するために前記重金属含有灰に添加する液体キレート剤の適正添加量を、所定量の重金属含有灰サンプルと過剰量の液体キレート剤とを攪拌、混合して、前記重金属と前記液体キレート剤中のキレート成分とを反応させた後、残留するキレート成分量を吸光光度計を用いて測定することによって決定する装置であって、前記所定量の重金属含有灰サンプルと前記過剰量の液体キレート剤とを攪拌、混合してスラリーを調製するスラリー調製手段と、計量枡を用いて計り取った一定量の前記液体キレート剤を前記スラリー調製手段に供給する液体キレート剤定量供給手段と、前記スラリー調製手段により調製されたスラリーの上澄み液をフィルターを経由して前記吸光光度計に供給する上澄み液供給手段と、前記吸光光度計により測定された前記キレート成分について特異的な波長における前記上澄み液の吸光度に基づいて、前記重金属含有灰への液体キレート剤の適正添加量を決定し、表示する液体キレート剤添加量決定手段とを備えていることに特徴を有するものである。
【００２２】
請求項２記載の発明は、請求項１記載の発明において、吸光光度計および上澄み液供給手段の洗浄手段を備えていることに特徴を有するものである。
【００２３】
請求項３記載の発明は、請求項１または２記載の発明において、重金属含有灰サンプルをスラリー調製手段に供給した後、液体キレート剤定量供給手段、スラリー調製手段、上澄み液供給手段、吸光光度計および液体キレート剤添加量決定手段を順次、自動的に作動させる制御手段を備えていることに特徴を有するものである。
【００２４】
請求項４記載の発明は、灰中の重金属を安定化するために前記重金属含有灰に添加する液体キレート剤の適正添加量を、所定量の重金属含有灰サンプルと過剰量の液体キレート剤とを攪拌、混合して、前記重金属と前記液体キレート剤中のキレート成分とを反応させた後、残留するキレート成分量を吸光光度計を用いて測定することによって決定する装置であって、前記所定量の重金属含有灰サンプルと前記過剰量の液体キレート剤とを攪拌、混合してスラリーを調製するスラリー調製手段と、計量枡を用いて計り取った一定量の前記液体キレート剤を前記スラリー調製手段に供給する液体キレート剤定量供給手段と、前記スラリー調製手段により調製されたスラリーの上澄み液をフィルターを経由して希釈容器に供給する上澄み液供給手段と、前記吸光光度計にて測定可能な濃度への希釈および測定溶液供給手段と、前記吸光光度計により測定された前記キレート成分について特異的な波長における前記上澄み液の吸光度に基づいて、前記重金属含有灰への液体キレート剤の適正添加量を決定し、表示する液体キレート剤添加量決定手段とを備えていることに特徴を有するものである。
【００２５】
請求項５記載の発明は、請求項４記載の発明において、吸光光度計、上澄み液供給手段および吸光光度計にて測定可能な適正濃度への希釈および測定溶液供給手段の洗浄手段を備えていることに特徴を有するものである。
【００２６】
請求項６記載の発明は、請求項４または５記載の発明において、重金属含有灰サンプルをスラリー調製手段に供給した後、液体キレート剤定量供給手段、スラリー調製手段、上澄み液供給手段、測定可能な適正濃度への希釈および測定溶液供給手段、吸光光度計および液体キレート剤添加量決定手段を順次、自動的に作動させる制御手段を備えていることに特徴を有するものである。
【００２７】
請求項７記載の発明は、請求項１から６の内の何れか１つに記載の発明において、液体キレート剤添加量決定手段は、キレート成分について特異的な波長における上澄み液の希釈液の吸光度（ＩＢ）と前記波長と同一波長における液体キレート剤の吸光度（ＩＡ）とから、重金属含有灰への液体キレート剤の適正添加量を決定する手段であることに特徴を有するものである。
【００２８】
請求項８記載の発明は、請求項１から６の内の何れか１つに記載の発明において、液体キレート剤添加量決定手段は、キレート成分について特異的な波長における上澄み液の希釈液の吸光度（ＩＢ）と、予め入力された液体キレート剤の吸光度（ＩＡ）、あるいは、予め入力された液体キレート剤中のキレート成分の全量（Ａ）とから、重金属含有灰への液体キレート剤の適正添加量を決定する手段であることに特徴を有するものである。
【発明の効果】
【００２９】
この発明によれば、液体キレート剤の量を厳密に計量して重金属含有灰サンプルと混合、攪拌することができ、また、測定可能な適正濃度に希釈することができ、さらに、上澄み液通路、測定溶液用通路、必要に応じて設けられる希釈容器および吸光光度計の吸光度セルを、次の液体キレート剤の適正添加量決定に備えて洗浄することができ、しかも、定量の飛灰サンプルをスラリー調製手段の混合容器に入れるのみで、液体キレート剤の適正添加量を自動的に決定することができるので、液体キレート剤の適正添加量を簡単且つ正確に決定することができるといった有用な効果がもたらされる。
【発明を実施するための最良の形態】
【００３０】
次に、この発明の、液体キレート剤の適正添加量決定装置の一実施態様を、図面を参照しながら説明する。
【００３１】
図１は、この発明の、液体キレート剤の適正添加量決定装置を示す構成図、図２は、この発明の、液体キレート剤の適正添加量決定装置の制御系のブロック図、図３は、この発明の、液体キレート剤の適正添加量決定装置のフロー図、図４は、液体キレート剤中のキレート成分について特異的な波長における吸光度とキレート成分量との関係を示すグラフである。
【００３２】
図１および図２において、１は、液体キレート剤定量供給手段であり、液体キレート剤貯留容器２と、容量または重量を計測する計量枡３と、計量枡用受け皿４と、液体キレート剤貯留容器２内の液体キレート剤を計量枡３に注入する注入ポンプ５（Ｐ１）と、計量枡３内の液体キレート剤を、後述するスラリー調製手段７の混合容器８に排出する排出ポンプ６（Ｐ２）とからなっている。計量枡３からオーバーフローした液体キレート剤は、計量枡用受け皿４内にこぼれ、液体キレート剤貯留容器２に戻される。液体キレート剤定量供給手段１は、別途、定量供給ポンプ（シリンジポンプも含まれる）等によっても良い。
【００３３】
７は、スラリー調製手段であり、液体キレート剤定量供給手段１からの定量の液体キレート剤と重金属含有灰から採取した定量の重金属含有灰サンプルとが入れられる混合容器８と、混合容器８内に注入された液体キレート剤と重金属含有灰サンプルとを攪拌、混合する攪拌翼９を有するスターラ１０とからなっている。混合手段としては、モーター直結攪拌翼を持つ攪拌機を用いても良い。混合容器８内の上澄み液は、後述する上澄み液供給手段１１に供給される。場合によっては、上澄み液を供給しなくても、スラリーそのものを供給しても良い。
【００３４】
１１は、スラリー調製手段７からの上澄み液を、吸光光度計１９にて測定可能な濃度への希釈および測定溶液供給手段に供給する上澄み液供給手段である。なお、場合によっては、上澄み液を吸光光度計１９に直接、供給する（図１中、一点鎖線で示す。）上澄み液供給手段であっても良い。
【００３５】
上澄み液供給手段１１は、スラリー調製手段７からの上澄み液をろ過するフィルター１２と、シリンジポンプ１３と、フィルター１２と後述する吸光光度計１９との間の上澄み液通路１４の途中に設けられた第１電磁三方弁１５（Ｖ１）と、第１電磁三方弁１５（Ｖ３）と必要に応じて設ける洗浄水貯留容器１６との間の上澄み液通路１７の途中に設けられた第２電磁三方弁１８（Ｖ２）とからなっている。シリンジポンプ１３は、第２電磁三方弁１８に接続されている。
【００３６】
シリンジポンプ１３は、混合容器８内の上澄み液を吸引した後、この上澄み液を、後述する吸光光度計１９にて測定可能な濃度に希釈する希釈容器２８に供給する。この希釈は、洗浄水貯留容器１６から希釈倍率に応じた量の希釈用水を吸引することによって行われる。また、後述する液体キレート剤添加量決定手段２０により液体キレート剤の適正添加量が決定された後、洗浄水貯留容器１６内の洗浄水を第３電磁弁三方弁３１（Ｖ３）を必要に応じて切り替えて、上澄み液通路１４、１７、混合容器８、希釈容器２８等に送り込んで、これらの中に残存する上澄み液を洗浄する。
【００３７】
シリンジポンプ１３により希釈容器２８に送り込まれた上澄み液と希釈用水は、希釈用攪拌翼２９と希釈用スターラ３０により適正濃度に希釈され、測定溶液となる。この測定溶液は、移送ポンプ３２（Ｐ３）を用いて、測定溶液用通路３３を通じて吸光光度計１９に供給される。
【００３８】
また、適正添加量決定後の洗浄工程では、希釈容器２８中に送り込まれた洗浄水を移送ポンプ３２により吸光光度計１９の計測部、すなわち、吸光度セルに送り込んで、これらの中に残存する上澄み液を洗浄して除去する。
【００３９】
なお、測定可能な適正濃度への希釈および測定溶液供給手段２７を設けない場合には、上澄み液は、吸光光度計１９に直接、供給される。この場合の洗浄は、シリンジポンプ１３、第１電磁三方弁１５、第２電磁三方弁１８を適宜操作して行われる。
【００４０】
１９は、吸光光度計であり、スラリー調製手段７からの上澄み液の吸光度、すなわち、上澄み液中のキレート成分について特異的な波長、例えば、液体キレート剤の配位基に起因する波長の吸収を測定する。
【００４１】
２０は、液体キレート剤添加量決定手段であり、重金属含有灰への液体キレート剤の適正添加量を決定し、その結果を表示し、必要に応じて結果をプリントアウトする。液体キレート剤添加量決定手段２０には、図４に示すような、液体キレート剤のキレート成分について特異的な波長における吸光度とキレート成分量との関係が予め入力されている。液体キレート剤添加量決定手段２０は、上澄み液について測定した吸光度（ＩＢ）から上澄み液中の未反応のキレート成分量（Ｂ）を求め、重金属含有灰サンプルに添加した液体キレート剤中のキレート成分の全量（Ａ）と未反応のキレート成分量（Ｂ）との差から重金属含有灰中の重金属と反応したキレート成分量（Ｃ）を求め、反応したキレート成分量（Ｃ）と重金属含有灰サンプルとの比に基づいて、重金属含有灰の全量を処理するのに適正な液体キレート剤の添加量を決定する。
【００４２】
液体キレート剤中のキレート成分の全量（Ａ）は、予め液体キレート剤添加量決定手段２０に入力しておくか、あるいは、キレート剤の全量に相当する前記波長と同一波長における吸光度（ＩＡ）を予め液体キレート剤添加量決定手段２０に入力しておき、吸光度（ＩＡ）からキレート剤中のキレート成分の全量（Ａ）を求めても良い。吸光度（ＩＡ）は、例えば、空試験、すなわち、キレート剤のみを吸光光度計１９の吸光度セルに入れて吸光度を測定することによって求められる。
【００４３】
２１は、制御手段（図２参照）である。制御手段２１は、操作者が定量の重金属含有灰サンプルをスラリー調製手段７に入れた後、液体キレート剤定量供給手段１、スラリー調製手段７、上澄み液供給手段１１、必要に応じて設ける、測定可能な適正濃度への希釈および測定溶液供給手段２７、吸光光度計１９および液体キレート剤添加量決定手段２０を順次、自動的に作動させる。すなわち、制御手段２１は、図２に示すように、ポンプドライバ２２により注入ポンプ５、排出ポンプ６および移送ポンプ３２を、スターラドライバ２３によりスターラ１０および希釈用スターラ３０を、電磁弁ドライバ２４により第１電磁三方弁１５、第２電磁三方弁１８および第３電磁三方弁３１を、そして、シリンジポンプドライバ２５によりシリンジポンプ１３を順次、作動させる。
【００４４】
２６は、ポンプドライバ２２、スターラドライバ２３、電磁弁ドライバ２４、シリンジポンプドライバ２５、液体キレート剤添加量決定手段２０および制御手段２１の電源ユニットである。
【００４５】
次に、図３のフローを参照しながら、上澄み液を希釈して吸光光度計に送る場合の液体キレート剤の適正添加量の決定方法を、飛灰を例にとって説明する。
【００４６】
操作者は、先ず、重金属を含む飛灰から定量の飛灰サンプルを採取し、これを、スラリー調製手段７の混合容器８に入れる。次に、スタートボタンをオンすると、注入ポンプ５が作動し、液体キレート剤貯留容器２内のキレート剤が計量枡３内に注入される。計量枡３内から液体キレート剤がオーバーフローするまで液体キレート剤が注入されたら、注入ポンプ５が停止する。この後、排出ポンプ６が作動し、計量枡３内の液体キレート剤がスラリー調製手段７の混合容器８内に注入される。液体キレート剤をオーバーフローさせることによって、定量の液体キレート剤が混合容器８内に注入される。なお、計量枡３内から計量枡用受け皿４内にオーバーフローした液体キレート剤は、液体キレート剤貯留容器２内に戻される。
【００４７】
このようにして、定量の飛灰サンプルと定量の液体キレート剤とが混合容器８内に入れられたら、スターラ１０が作動し、その攪拌翼９によって、これらが所定時間攪拌、混合される。攪拌、混合が完了したら、所定時間静置される。この後、上澄み液供給手段１１のシリンジポンプ１３が作動して、混合容器８内の上澄み液がフィルター１２を通ってシリンジポンプ１３内に吸引される。このとき、第１および第２電磁三方弁１５、１８は、液体キレート剤がシリンジポンプ１３側に流れるように切り替えられる。
【００４８】
このようにして、定量の上澄み液がシリンジポンプ１３に吸引されたら、第１および第３電磁三方弁１５、３１が切り替えられ、シリンジポンプ１３によりシリンジポンプ１３内の上澄み液が希釈容器２８内に必要量だけ送り込まれる。そして、電磁三方弁１５、１８、３１が工程に合わせた通路に切り替わりながら、洗浄水貯留容器１６から洗浄水がシリンジポンプ１３にて吸引され、上澄み液通路１４、１７を洗浄した後、洗浄水が希釈用水として希釈容器２８内に送り込まれる。このようにして、上澄み液および希釈用水の所定量が送り込まれたら、希釈用スターラ３０が作動して希釈用攪拌翼２９により均一になるまで所定時間、攪拌される。攪拌が完了したら、これを測定溶液として、移送ポンプ３２により吸光光度計１９に送り込まれて、測定溶液の吸光度（ＩＢ）が測定される。
【００４９】
この結果は、液体キレート剤添加量決定手段２０に送られ、ここで、吸光度（ＩＢ）から上澄み液中の未反応の液体キレート剤中のキレート成分量（Ｂ）が求められ、飛灰サンプルに添加した液体キレート剤中のキレート成分の全量（Ａ）と未反応の液体キレート剤中のキレート成分量（Ｂ）との差から重金属と反応したキレート成分量（Ｃ）が求められ、そして、反応したキレート成分量（Ｃ）と飛灰サンプルとの比に基づいて、飛灰の全量を処理するのに適正な液体キレート剤の添加量が決定される。このようにして決定された適正な液体キレート剤の添加量は、表示され、必要に応じて同時にプリントアウトされる。
【００５０】
このようにして、液体キレート剤の適正添加量が表示された後、第２電磁三方弁１８が切り替えられ、シリンジポンプ１３が作動して、洗浄水貯留容器１６内の洗浄水がシリンジポンプ１３に吸引される。この後、第２電磁三方弁１８が切り替えられ、シリンジポンプ１３によりシリンジポンプ１３内の洗浄水が上澄み液通路１４および１７を通って希釈容器２８に送り込まれ、さらに、希釈容器２８内の洗浄水が移送ポンプ３２により吸光光度計１９の吸光度セルに送り込まれる。これによって、上澄み液通路１４、１７、測定溶液用通路３３、希釈容器２８および吸光光度計１９の吸光度セルが洗浄され、これらの中に残存する液体キレート剤が除去される。次の決定に備える。洗浄済みの水は、排水される。
【００５１】
この発明の液体キレート剤の適正添加量決定装置によれば、液体キレート剤定量供給手段１の計量枡３により液体キレート剤の量を厳密に計量して飛灰サンプルと混合、攪拌することができ、また、測定可能な適正濃度に希釈することができ、さらに、上澄み液通路１４、１７、測定溶液用通路３３、希釈容器２８および吸光光度計１９の吸光度セルを、次の液体キレート剤の適正添加量決定に備えて洗浄することができ、しかも、定量の飛灰サンプルをスラリー調製手段７の混合容器８に入れるのみで、液体キレート剤の適正添加量を自動的に決定することができるので、液体キレート剤の適正添加量を簡単且つ正確に決定することができる。
【図面の簡単な説明】
【００５２】
【図１】この発明の、液体キレート剤の適正添加量決定装置を示す構成図である。
【図２】この発明の、液体キレート剤の適正添加量決定装置の制御系のブロック図である。
【図３】この発明の、液体キレート剤の適正添加量決定装置のフロー図である。
【図４】液体キレート剤について特異的な波長における吸光度と液体キレート剤中のキレート成分量との関係を示すグラフである。
【符号の説明】
【００５３】
１：液体キレート剤定量供給手段
２：液体キレート剤貯留容器
３：計量枡
４：計量枡用受け皿
５：注入ポンプ
６：排出ポンプ
７：スラリー調製手段
８：混合容器
９：攪拌翼
１０：スターラ
１１：上澄み液供給手段
１２：フィルター
１３：シリンジポンプ
１４：上澄み液通路
１５：第１電磁三方弁
１６：洗浄水貯留容器
１７：上澄み液通路
１８：第２電磁三方弁
１９：吸光光度計
２０：液体キレート剤添加量決定手段
２１：制御手段
２２：ポンプドライバ
２３：スターラドライバ
２４：電磁弁ドライバ
２５：シリンジポンプドライバ
２６：電源ユニット
２７：測定可能な適正濃度への希釈および測定溶液供給手段
２８：希釈容器
２９：希釈用攪拌翼
３０：希釈用スターラ
３１：第３電磁三方弁
３２：移送ポンプ
３３：測定溶液用通路
【図１】
2004258022.tif 000003
【図２】
2004258022.tif 000004
【図３】
2004258022.tif 000005
【図４】
2004258022.tif 000006